(57)【要約】【課題】  壁板の背面側の空間内の空気が壁板の貫通孔を通って室内に流入することを阻止することができる埋設型ガス栓を提供する。【解決手段】  柔軟性を有する膜状体からなるカバー３を用いる。カバー３の袋状をなす収容部３ａに支持部材１及びガス栓部２を収容する。収容部３ａの開口側の端部に固定板部３ｄを環状に形成する。固定板部３ｄを壁板Ｗの貫通孔Ｗａを囲むように配置し、支持部材１のフランジ部１ａと壁板Ｗとによって表面Ｗｂに挟持固定する。収容部３ａには、外側に向かって突出する筒状部３ｅを形成する。この筒状部３ｅの第１挿通部３ｊには、フレキシブルガス管Ｇを気密に挿通する。【選択図】図２
2010078071.tif 000002
【特許請求の範囲】
【請求項１】
貫通孔を有する仕切板に取り付けられる支持部材と、ガス供給用のフレキシブルガス管が接続される接続部を有し、上記支持部材に取り付けられたガス栓部とを備えた埋設式ガス栓に用いられる埋設式ガス栓用カバーであって、
全体が柔軟性を有する膜状体によって構成され、
一端部に形成された開口部から上記支持部材及び上記ガス栓が挿入される収容部と、この収容部に上記開口部に沿って環状に設けられた固定部と、上記収容部から外部に延び出す筒状部とを有し、上記収容部が上記貫通孔を閉じるよう、上記固定部が上記仕切板に上記貫通孔に沿って環状に、かつ気密に固定され、上記筒状部に上記接続部又は上記フレキシブルガス管が気密に挿通されることを特徴とする埋設式ガス栓用カバー。
【請求項２】
上記収容部の上記貫通孔に挿入される部分が筒状をなす挿入部とされ、この挿入部が、上記貫通孔の長手方向へ伸縮することができるように、蛇腹状に形成されていることを特徴とする請求項１に記載の埋設式ガス栓用カバー。
【請求項３】
上記筒状部が、上記接続部が挿入される基部と、この基部の先端部に設けられ、上記フレキシブルガス管が挿入されるガス管挿通部とを有していることを特徴とする請求項１又は２に記載の埋設式ガス栓用カバー。
【請求項４】
上記ガス管挿通部が、上記基部の先端部に設けられ、上記基部より小径の第１挿通部と、この第１挿通部の先端部に設けられ、上記第１挿通部より小径の第２挿通部とを有していることを特徴とする請求項３に記載の埋設式ガス栓用カバー。
【請求項５】
貫通孔を有する仕切板に取り付けられる支持部材と、ガス供給用のフレキシブルガス管が接続される接続部を有し、上記支持部材に取り付けられたガス栓部とを備えた埋設式ガス栓において、
柔軟性を有する膜状体からなるカバーをさらに備え、
上記カバーが、一端部に形成された開口部から上記取付部材及び上記ガス栓が挿入される収容部と、この収容部に上記開口部に沿って環状に設けられた固定部と、上記収容部から外部に延び出す筒状部とを有し、上記収容部が上記貫通孔を閉じるよう、上記固定部が上記仕切板に上記貫通孔に沿って環状に、かつ気密に固定され、上記筒状部に上記接続部又は上記フレキシブルガス管が気密に挿通されていることを特徴とする埋設式ガス栓。
【請求項６】
上記収容部の上記貫通孔に挿入される部分が筒状をなす挿入部とされ、この挿入部が、上記貫通孔の長手方向へ伸縮することができるように、蛇腹状に形成されていることを特徴とする請求項５に記載の埋設式ガス栓。
【請求項７】
上記支持部材には、上記貫通孔の周方向に延びるフランジ部が形成され、上記フランジ部と上記仕切板とによって上記固定部を挟持することにより、上記固定部が上記仕切板に押圧固定されていることを特徴とする請求項５又は６に記載の埋設式ガス栓。
【請求項８】
上記フランジ部が上記貫通孔の周方向に沿って互いに離間して複数設けられ、各フランジ部が上記仕切板の表面の上記貫通孔に沿う複数個所にそれぞれ固定され、上記支持部材には、上記フランジ部及び上記貫通孔を遮蔽する化粧蓋が取り付けられ、上記固定部の一部が上記フランジ部と上記仕切板とによって挟持され、上記固定部の他の一部が上記化粧プレートと上記仕切板とによって挟持されることにより、上記固定部が上記仕切板に押圧固定されていることを特徴とする請求項７に記載の埋設式ガス栓。
【発明の詳細な説明】
【技術分野】
【０００１】
この発明は、埋設式ガス栓及びそれに用いられるカバーに関する。
【背景技術】
【０００２】
一般に、埋設式ガス栓は、支持部材とガス栓部とを有している。支持部材は、貫通孔を有する壁板に取り付けられている。ガス栓部は、支持部材に取り付けられている。ガス栓部には、接続部及びプラグ部が設けられている。接続部には、フレキシブルガス管が接続され、フレキシブルガス管からガス栓部にガスが供給される。プラグ部は、壁板の貫通孔内に配置されている。そして、プラグ部にソケットが接続されると、フレキシブルガス管からガス栓部に供給されたガスがソケット及びガス管を介してガス器具に供給される。
【０００３】
従来の埋設式ガス栓は、壁板に形成される貫通孔を閉じるための構成を有していなかった。このため、壁板の背面側に形成される空間（以下、背面側空間という。）が貫通孔を介して室内に連通し、背面側空間内の空気が貫通孔を通って室内に流入するという問題があった。
【０００４】
そこで、下記特許文献１に記載の埋設式ガス栓においては、ボックス及び閉塞板が用いられている。ボックスは、貫通孔と対向する一端が開口しており、その内部には支持部材及びガス栓が開口部から挿入されている。しかも、ボックスは、その開口部が貫通孔を囲むようにして支持部材に取り付けられている。この結果、貫通孔がボックスによって閉じられている。また、ボックスには、ガス栓の接続部又はフレキシブルガス管が挿通される挿通孔が形成されている。この挿通孔と接続部又はフレキシブルガス管との間の隙間が閉塞板によって閉じられている。このようにして、室内と背面側空間との間が遮断されている。
【０００５】
【特許文献１】特開平２００６−１８９１２２号公報
【発明の開示】
【発明が解決しようとする課題】
【０００６】
しかしながら、上記特許文献１に記載の埋設式ガス栓においては、ボックス及び閉塞板は、剛性を有する材料によって構成されているため、貫通孔と背面側空間との間を十分に高い気密性をもって遮断することが困難であるという問題があった。特に、挿通孔と接続部との間に形成される隙間は、遮断することが困難であった。このため、背面側空間内の空気が室内に流入することを十分には阻止することができなかった。
【課題を解決するための手段】
【０００７】
上記の問題を解決するために、第１の発明は、貫通孔を有する仕切板に取り付けられる支持部材と、ガス供給用のフレキシブルガス管が接続される接続部を有し、上記支持部材に取り付けられたガス栓部とを備えた埋設式ガス栓に用いられる埋設式ガス栓用カバーであって、全体が柔軟性を有する膜状体によって構成され、一端部に形成された開口部から上記支持部材及び上記ガス栓が挿入される収容部と、この収容部に上記開口部に沿って環状に設けられた固定部と、上記収容部から外部に延び出す筒状部とを有し、上記収容部が上記貫通孔を閉じるよう、上記固定部が上記仕切板に上記貫通孔に沿って環状に、かつ気密に固定され、上記筒状部に上記接続部又は上記フレキシブルガス管が気密に挿通されることを特徴としている。
この場合、上記収容部の上記貫通孔に挿入される部分が筒状をなす挿入部とされ、この挿入部が、上記貫通孔の長手方向へ伸縮することができるように、蛇腹状に形成されていることが望ましい。
上記筒状部が、上記接続部が挿入される基部と、この基部の先端部に設けられ、上記フレキシブルガス管が挿入されるガス管挿通部とを有していることが望ましい。
上記ガス管挿通部が、上記基部の先端部に設けられ、上記基部より小径の第１挿通部と、この第１挿通部の先端部に設けられ、上記第１挿通部より小径の第２挿通部とを有していることがさらに望ましい。
上記の問題を解決するために、第２の発明は、貫通孔を有する仕切板に取り付けられる支持部材と、ガス供給用のフレキシブルガス管が接続される接続部を有し、上記支持部材に取り付けられたガス栓部とを備えた埋設式ガス栓において、柔軟性を有する膜状体からなるカバーをさらに備え、上記カバーが、一端部に形成された開口部から上記取付部材及び上記ガス栓が挿入される収容部と、この収容部に上記開口部に沿って環状に設けられた固定部と、上記収容部から外部に延び出す筒状部とを有し、上記収容部が上記貫通孔を閉じるよう、上記固定部が上記仕切板に上記貫通孔に沿って環状に、かつ気密に固定され、上記筒状部に上記接続部又は上記フレキシブルガス管が気密に挿通されていることを特徴としている。
この場合、上記収容部の上記貫通孔に挿入される部分が筒状をなす挿入部とされ、この挿入部が、上記貫通孔の長手方向へ伸縮することができるように、蛇腹状に形成されていることが望ましい。
上記支持部材には、上記貫通孔の周方向に延びるフランジ部が形成され、上記フランジ部と上記仕切板とによって上記固定部を挟持することにより、上記固定部が上記仕切板に押圧固定されていることが望ましい。
上記フランジ部が上記貫通孔の周方向に沿って互いに離間して複数設けられ、各フランジ部が上記仕切板の表面の上記貫通孔に沿う複数個所にそれぞれ固定され、上記支持部材には、上記フランジ部及び上記貫通孔を遮蔽する化粧蓋が取り付けられ、上記固定部の一部が上記フランジ部と上記仕切板とによって挟持され、上記固定部の他の一部が上記化粧プレートと上記仕切板とによって挟持されることにより、上記固定部が上記仕切板に押圧固定されていることが望ましい。
【発明の効果】
【０００８】
上記特徴構成を有するこの発明によれば、カバーの固定部が開口部を囲むようにして仕切板に押圧固定されるとともに、筒状部に接続部又はフレキシブルガス管が気密に挿通される。したがって、カバーは、室内と背面側空間とを十分に高い気密性をもって遮断することができる。
【発明を実施するための最良の形態】
【０００９】
以下、この発明を実施するための最良の形態を、図面を参照して説明する。
図１〜図３は、この発明に係る埋設式ガス栓の第１実施の形態を示す。この実施の形態の埋設式ガス栓Ａは、壁埋設タイプのガス栓であり、埋設式ガス栓Ａが取り付けられる壁板（仕切板）Ｗには、これを水平方向に貫通する貫通孔Ｗａが形成されている。貫通孔Ｗａは、四角形状に形成されているが、円形に形成してもよい。一方、埋設式ガス栓Ａは、支持部材１、ガス栓部２及びカバー３を備えている。
【００１０】
埋設式ガス栓Ａの支持部材１は、本体部１Ａと一対の挟持板１Ｂ，１Ｂとを有している。本体部１Ａは、その一端部に環状に延びるフランジ部１ａが形成されている。このフランジ部１ａは、貫通孔Ｗａと同様に四角形状をなしているが、外形は貫通孔Ｗａより大きく形成されている。フランジ部１ａは、次に述べる方法により、壁板Ｗの室内Ｉに面する表面Ｗｂに貫通孔Ｗａに沿って環状に押圧固定されている。
【００１１】
すなわち、支持部材１には、４本のボルト４が設けられている。２本のボルト４，４は、一方の挟持板１Ｂに螺合されている。他の２本のボルト４，４は、他方の挟持板１Ｂに螺合されている。各挟持板１Ｂは、壁板の背面Ｗｃと対向している。したがって、挟持板１Ｂが背面Ｗｃに接近するようにボルト４を回転させると、フランジ部１ａと一対の挟持板１Ｂ，１Ｂとが壁板Ｗを挟持する。その状態で各ボルト４をさらに締め付けることにより、フランジ部１ａが壁板Ｗの表面Ｗｂに押圧固定され、ひいては支持部材１が壁板Ｗに固定されている。支持部材１の壁板Ｗに対する固定法は、上記の固定法に限定されるものでなく、後述する方法、その他各種の公知の方法を採用することができる。
【００１２】
ガス栓部２は、本体部２ａを有している。本体部２ａは、ボルト５によって支持部材１に固定されている。本体部２ａには、接続部２ｂ及びプラグ部２ｃが設けられている。接続部２ｂは、本体部２ａの下側部から壁板Ｗの背面Ｗｃに沿って下方に向かって突出しているが、左右の側部から壁板Ｗに沿って水平方向に突出させてもよく、あるいは本体部２ａの背部から後方に向かって突出させてもよい。接続部２ｂには、一次側のフレキシブルガス管Ｇが接続されており、フレキシブルガス管Ｇからガス栓部２にガスが供給される。接続部２ｂは、ガス管Ｇを単に挿入するだけで接続することができるように構成されているが、その構造は周知のものであるので詳細な説明を省略する。プラグ部２ｃは、本体部２ａの貫通孔Ｗａと対向する前面に設けられている。プラグ部２ｃは、その長手方向を貫通孔Ｗａの長手方向に向けた状態で貫通孔Ｗａのほぼ中央部に配置されている。プラグ部２ｃには、室内Ｉから貫通孔Ｗａ内に挿入されたソケット（図示せず）が着脱可能に接続される。すると、フレキシブルガス管Ｇからガス栓部２に供給されたガスがソケット及びガス管を介してガス器具（いずれも図示せず）に供給される。
【００１３】
フランジ部１ａには、化粧板６が着脱可能に取り付けられている。化粧板６は、フランジ部１ａより大きい寸法を有しており、フランジ部１ａが室内Ｉ側から目視されることがないよう、フランジ部１ａ全体を覆っている。したがって、貫通孔Ｗａも化粧板６によって覆われている。化粧板６の中央部には、窓孔６ａが形成されている。この窓孔６ａには、蓋体６ｂが開位置と閉位置との間を回動可能に設けられている。蓋体６ｂを開位置に回動させると、窓孔６ａから貫通孔Ｗａ内にソケットが挿入可能になり、ソケットをプラグ部２ｃに接続することができる。ソケットのプラグ部２ｃへの接続後、蓋体６ｂを壁板Ｗ側へ押圧移動させると、ソケットのプラグ部２ｃへの接続が外れる。このような作用をなす構造は、周知のものであるのでその詳細な説明は省略する。
【００１４】
カバー３は、室内Ｉと背面側空間Ｓとが貫通孔Ｗａを介して連通することを阻止するためのものであり、厚さが０．５ｍｍ程度の柔軟性を有する膜状体によって構成されている。そのような膜状体は、ポリプロピレン（ＰＰ）、ポリエチレン（ＰＥ）等の樹脂によって形成することがでる。そして、カバー３は、樹脂からなる膜状体を各種の成形法によって一体に成形することが可能である。
【００１５】
図２〜図８に示すように、カバー３は、収容部３ａを有している。収容部３ａは、フランジ部１ａを除く支持部材１及びガス栓部２を内部に収容することができるだけの大きさを有しており、収容部３ａの壁板Ｗ側の一端部に開口部３ｂが形成されている。この開口部３ｂから収容部３ａ内に支持部材１及びガス栓部２が挿入可能になっている。収容部３ａは、支持部材１及びガス栓部２を収容することができる範囲においてできる限り小さくすることが望ましい。
【００１６】
収容部３ａの開口部３ｂに隣接する部分には、挿入部３ｃが形成されている。挿入部３ｃは、貫通孔Ｗａとほぼ相似な断面形状を有しており、貫通孔Ｗａに挿入することができる範囲においてできる限り大きく形成することが望ましい。挿入部３ｃは、蛇腹状に形成されている。したがって、挿入部３ｃは、その長手方向へ伸縮可能であり、それによって厚さの異なる各種の壁板Ｗに対応することがきるようになっている。つまり、壁板Ｗの厚さが厚い場合には挿入部３ｃが伸張され、壁板Ｗの厚さが薄い場合には挿入部３ｃが短縮される。
【００１７】
カバー３の開口部３ｂ側の端部、つまり挿入部３ｃの開口部３ｂ側の端部には、挿入部３ｃの径方向外側に向かって突出する固定板部（固定部）３ｄが環状に形成されている。固定板部３ｄの外形寸法は、貫通孔Ｗａより大きいが、その一部（角部）を除いてフランジ部１ａより小さくなっている。そして、固定板部３ｄは、壁板Ｗの表面Ｗｂとフランジ部１ａとによって挟持されている。つまり、フランジ部１ａによって表面Ｗｂに押圧固定されている。しかも、固定板部３ｄは、貫通孔Ｗａ全体を囲っている。この結果、貫通孔Ｗａがカバー３によって閉じられ、室内Ｉと背面側空間Ｓとの間がカバー３によって遮断されている。固定板部３ｄは、フランジ部１ａより大きくしてもよい。ただし、室内Ｉから固定板部３ｄが目視されることを回避するために、化粧板６より小さくすることが望ましい。
【００１８】
収容部３ａの一側部、つまりガス栓部２の接続部２ｂが形成された下側部と対向する下側部には、筒状部３ｅが形成されている。この筒状部３ｅは、図４〜図６に示すように、挿入部３ｃとほぼ直交するようにして下方に延びており、収容部３ａに連設された基部３ｆと、この基部３ｆの先端部にテーパ部３ｇ及びストレート部３ｈを介して連設されたガス管挿通部３ｉとを有している。
【００１９】
基部３ｆは、収容部３ａ側の基端部に接続部２ｂが挿入され、先端部にフレキシブルガス管Ｇが挿通されるような長さを有している。ただし、基部３ｆは、必ずしもそのような長さにする必要がなく、接続部２ｂを収容することができるだけの長さを有していればよい。その場合にも、接続部２ｂとほぼ同等の長さにしてもよく、接続部２ｂより僅かだけ長くしてもよい。基部３ｆの内径は、接続部２ｂを挿入することができるよう、接続部２ｂの外径より若干大径になっている。しかし、基部３ｆの外径は、基部３ｆを弾性的に拡径することによって接続部２ｂを基部３ｆに挿入することができる範囲であれば、接続部２ｂの外径より小径にしてもよい。
【００２０】
ガス管挿通部３ｉは、基端側の第１挿通部３ｊとこの第１挿通部３ｊの先端部に連設された第２挿通部３ｋとを有している。第１挿通部３ｊの内径は、弾性的に拡径することによってフレキシブルガス管Ｇを挿通することができる範囲においてフレキシブルガス管Ｇの外径より小径になっている。したがって、第１挿通部３ｊの内周面がフレキシブルガス管Ｇの外周面に全周にわたって押圧接触しており、それによって第１挿通部３ｊの内周面とフレキシブルガス管Ｇの外周面との間が気密に封止されている。第１挿通部３ｊの内径は、フレキシブルガス管Ｇの外径と同一ないしは若干大径にしてもよい。その場合には、例えば第１挿通部３ｊの先端部とフレキシブルガス管Ｇとの両者にわたって接着テープ（図示せず）を巻回することにより、第１挿通部３ｊとフレキシブルガス管Ｇとの間を気密に封止することができる。
【００２１】
第２挿通部３ｋは、フレキシブルガス管Ｇに代えてそれより小径の他のフレキシブルガス管が用いられる場合のためのものであり、第２挿通部３ｋの内径と当該他のフレキシブルガス管の外径との関係は、第１挿通部３ｊとフレキシブルガス管Ｇとの関係と同様である。したがって、当該他のフレキシブルガス管が用いられる場合には、第２挿通部３ｋに当該他のフレキシブルガス管が気密に挿通される。
【００２２】
なお、この実施の形態では、フレキシブルガス管Ｇが用いられているため、ガス管挿通部３ｉが第１挿通部３ｊの先端部（図４において想像線で示す部分）において切断されている。したがって、第２挿通部３ｋは用いられていない。勿論、フレキシブルガス管Ｇに代えて他のフレキシブルガス管が用いられる場合には、ガス管挿通部３ｉが第２挿通部３ｋの先端部において切断される。また、第２挿通部３ｋの先端部が底部３ｌによって閉じられているが、底部３ｌは必ずしも形成する必要がなく、第２挿通部３ｋの先端部を開口させておいてもよい。
【００２３】
上記構成の埋設式ガス栓Ａは、例えば次のようにして壁板Ｗに取り付けることができる。ガス栓Ａの壁板Ｗへの取り付けに際しては、壁板Ｗに貫通孔Ｗａを予め形成しておく。まず、空間Ｓ内に配置されたフレキシブルガス管Ｇの先端部（下流側端部）を貫通孔Ｗａから室内Ｉに引き出す。その後、フレキシブルガス管Ｇの先端部を第１挿通部３ｊにその外部から挿通し、収容部３ａを通って開口部３ｂからカバー３の外部に引き出す。そして、フレキシブルガス管Ｇの先端部を接続部２ｂに挿入して接続する。
【００２４】
その後、フレキシブルガス管Ｇを第１挿通部３ｊの先端側へ戻しつつ、支持部材１及びガス栓部２を開口部３ｂから収容部３ａ内に挿入する。そして、フランジ部１ａを固定板部３ｄに押し付ける。次に、フレキシブルガス管Ｇ及び筒状部３ｅを貫通孔Ｗａから空間Ｓ内に挿入し、続けて支持部材１及びガス栓部２を収容した収容部３ａを貫通孔Ｗａから背面側空間Ｓに挿入する。そして、固定板部３ｄが壁板Ｗの表面Ｗａに突き当てる。このとき、挿入部３ｃが蛇腹状をなしているので、図２に示すように、挿入部３ｃが弛むことなく、筒状部３ｅの基部３ｆを壁板Ｗの背面Ｗｃに接触させることができる。
【００２５】
その後、ボルト４を締め付け、フランジ部１ａ及び挟持板１Ｂとで壁板Ｗを挟持させる。これにより、支持部材１を壁板Ｗに固定する。このとき、カバー３の固定板部３ｄが貫通孔Ｗａを囲むように位置し、しかもフランジ部１ａによって表面Ｗｂに押圧接触させられる。したがって、室内Ｉと空間Ｓとの間がカバー３によって遮断される。しかも、第１挿通部３ｊの内周面とフレキシブルガス管Ｇの外周面との間が気密に封止されているので、室内Ｉと空間Ｓとがカバー３の内部を介して連通することもない。したがって、室内Ｉと空間Ｓとの間がカバー３によって気密に遮断される。よって、冬季に空間Ｓ内の冷気が室内Ｉに流入したり、夏季に空間Ｓ内の暖気が室内Ｉに流入したりすることを防止することができる。
【００２６】
次に、この発明の他の実施の形態について説明する。なお、以下の実施の形態に関しては、上記実施の形態と異なる構成についてのみ説明し、上記実施の形態と同様な部分には同一符号を付してその説明を省略する。
【００２７】
図９は、この発明の第２実施の形態を示す。この実施の形態の埋設型ガス栓Ｂは、厚さが薄い壁板Ｗに取り付けられるものであり、厚さが薄い壁板Ｗに対応して挿入部３ｃが折り畳まれ短縮させられている。なお、壁板Ｗの厚さが薄い分だけガス栓部２が壁板Ｗから離間している。これに対応するために、収容部３ａの深さが上記実施の形態の収容部３ａより深くなっているとともに、テーパ部３ｇの背面Ｗｃと対向する部分の長さが長くなっている。
【００２８】
図１０は、この発明の第３実施の形態を示す。この実施の形態の埋設式ガス栓Ｃにおいては、筒状部３ｅが基部３ｆにおいて切断されており、基部３ｆの内径が接続部２ｂの外径より僅かに小径になっている。そして、弾性的に拡径した基部３ｆに接続部２ｂが圧入されることにより、基部３ｆの内周面と接続部２ｂの外周面との間が気密に封止されている。勿論、基部３ｆの内径は、接続部２ｂの外径と同等かそれ以上にし、基部３ｆと接続部２ｂとの両者にわたって接着テープを巻回することにより、基部３ｆと接続部２ｂとの間を気密に封止してもよい。
【００２９】
図１１〜図１３は、この発明の第４実施の形態を示す。この実施の形態の埋設式ガス栓Ｄは、床板（仕切板）Ｆに取り付けられるものであり、貫通孔Ｆａが床板Ｆを上下に貫通している。この埋設式ガス栓Ｄにおいては、フランジ部１ａが環状に形成されておらず、対向する２辺にのみ設けられている。しかも、各フランジ部１ａは、それを貫通する木ねじ８によって床板Ｆの室内Ｉに臨む表面Ｆｂに押圧固定されている。また、化粧板６がフランジ部１ａではなく、本体部１Ａに着脱可能に取り付けられている。
【００３０】
フランジ部１ａが環状に形成されていないため、固定板部３ｄは、その一部だけがフランジ部１ａによって表面Ｆｂに押圧固定されている。固定板部３ｄの残りの部分は、化粧板６によって表面Ｆｂに押圧固定されている。また、基部３ｅに接続部２が気密に挿通されている。なお、この実施の形態においては、挿入部３ｃが蛇腹状ではなく、ストレートに形成されているが、蛇腹状に形成してもよい。これは、次に述べる第５実施の形態においても同様である。
【００３１】
図１４は、この発明の第５実施の形態を示す。この実施の形態の埋設式ガス栓Ｅは、図１１〜図１３に示す埋設式ガス栓Ｄを変形したものであり、第１挿通部３ｊにフレキシブルガス管Ｇが気密に挿通されている。
【００３２】
なお、この発明は、上記実施の形態に限定されるものでなく、その要旨を逸脱しない範囲において適宜変更可能である。
例えば、上記の実施の形態においては、カバー３の固定板部３ｄをフランジ部１ａ又はフランジ部１ａ及び化粧板６によって仕切板Ｗ，Ｆの表面Ｗｂ，Ｆｂに押圧固定しているが、表面Ｗｂ，Ｆｂに接着固定してもよい。また、固定板部３ｄは、背面Ｗｃ，Ｆｃに固定してもよく、貫通孔Ｗａ，Ｆａの内周面に固定してもよい。固定板部３ｄの固定方法は、上記実施の形態に限定されることなく、任意の固定方法を採用することができる。
【図面の簡単な説明】
【００３３】
【図１】この発明の第１実施の形態を、化粧板を省略した状態で示す平面図である。
【図２】図１のＸ−Ｘ線に沿う断面図である。
【図３】図１のＹ−Ｙ線に沿う断面図である。
【図４】この発明の第１実施の形態において用いられているカバーを示す平面図である。
【図５】同カバーの側面図である。
【図６】図４のＸ−Ｘ線に沿う断面図である。
【図７】同カバーの底面図である。
【図８】図４のＹ−Ｙ線に沿う断面図である。
【図９】この発明の第２実施の形態を示す図２と同様の断面図である。
【図１０】この発明の第３実施の形態を示す図１と同様の平面図である。
【図１１】この発明の第４実施の形態を示す図１と同様の平面図である。
【図１２】図１１のＸ−Ｘ線に沿う断面図である。
【図１３】図１２のＸ−Ｘ線に沿う断面図である。
【図１４】この発明の第５実施の形態を示す図２と同様の断面図である。
【符号の説明】
【００３４】
Ａ  埋設式ガス栓
Ｂ  埋設式ガス栓
Ｃ  埋設式ガス栓
Ｄ  埋設式ガス栓
Ｅ  埋設式ガス栓
Ｆ  床板（仕切板）
Ｆａ  貫通孔
Ｆｂ  表面
Ｆｃ  背面面Ｇ  フレキシブルガス管
Ｗ  壁板（仕切板）
Ｗａ  貫通孔
Ｗｂ  表面
Ｗｃ  背面
１  支持部材
１ａ  フランジ部
２  ガス栓部
２ｂ  接続部
３  カバー（埋設式ガス栓用カバー）
３ａ  収容部
３ｂ  開口部
３ｃ  挿入部
３ｄ  固定板部（固定部）
３ｅ  筒状部
３ｆ  基部
３ｉ  ガス管挿通部
３ｊ  第１挿通部
３ｋ  第２挿通部
【図１】
2010078071.tif 000003
【図２】
2010078071.tif 000004
【図３】
2010078071.tif 000005
【図４】
2010078071.tif 000006
【図５】
2010078071.tif 000007
【図６】
2010078071.tif 000008
【図７】
2010078071.tif 000009
【図８】
2010078071.tif 000010
【図９】
2010078071.tif 000011
【図１０】
2010078071.tif 000012
【図１１】
2010078071.tif 000013
【図１２】
2010078071.tif 000014
【図１３】
2010078071.tif 000015
【図１４】
2010078071.tif 000016